(57)【要約】【課題】利用状況に応じて仕上品収納効率の適正化を図ることのできるクリーニングボックスを提供する。【解決手段】洗濯物収納部２０を有する洗濯物側ユニット１０と、仕上品収納部３０を有する仕上品側ユニット１１とを互いに別体に形成するとともに、洗濯物側ユニット１０の側方に複数の仕上品側ユニット１１を並設可能に構成することにより、仕上品側ユニット１１を必要応じて増減することができる。例えば、利用者数の増加や引き取りの延滞等により仕上品収納部３０が不足した場合には、仕上品側ユニット１１を増設することにより、利用状況に応じて仕上品収納効率の適正化を図ることができる。この場合、新たな仕上品側ユニット１１のみを追加すれよいので、増設コストが安価であるという利点もある。【選択図】  図１５
2004240685.tif 000002
【特許請求の範囲】
【請求項１】
利用者の洗濯物を収納する洗濯物収納部と、洗濯済みの仕上品を収納する仕上品収納部とを備えたクリーニングボックスにおいて、
前記洗濯物収納部を有する洗濯物側ユニットと、前記仕上品収納部を有する仕上品側ユニットとを備え、
洗濯物側ユニットの側方に複数の仕上品側ユニットを並設可能に構成し、
洗濯物側ユニットにおける洗濯物収納部の前面上部には洗濯物投入口及びその扉を設けるとともに、洗濯物収納部の前面下部には洗濯物取出口及びその扉を設け、
仕上品側ユニットにおける仕上品収納部の前面には仕上品受取口及びその扉を設けた
ことを特徴とするクリーニングボックス。
【請求項２】
前記洗濯物側ユニット及び仕上品側ユニットを互いに同等の高さ寸法に形成した
ことを特徴とする請求項１記載のクリーニングボックス。
【請求項３】
前記洗濯物収納部内に洗濯物投入口の下端から後方に延びる仕切部を設け、仕切部の後端と洗濯物収納部内の背面との間には洗濯物を通過可能な隙間を形成した
ことを特徴とする請求項１または２記載のクリーニングボックス。
【請求項４】
前記仕切部を前方に向かって下り傾斜をなすように形成した
ことを特徴とする請求項３記載のクリーニングボックス。
【請求項５】
前記仕切部の後端側に後方に向かって下り傾斜をなす傾斜部を設けた
ことを特徴とする請求項４記載のクリーニングボックス。
【請求項６】
前記洗濯物収納部内の底面に緩衝部材を設けた
ことを特徴とする請求項１乃至５の何れか１項記載のクリーニングボックス。
【請求項７】
前記洗濯物投入口の扉、洗濯物取出口の扉及び仕上品受取口の扉にそれぞれ施錠手段を設けた
ことを特徴とする請求項１乃至６の何れか１項記載のクリーニングボックス。
【請求項８】
前記洗濯物投入口の扉及び仕上品受取口の扉の施錠手段を利用者の所定の操作によって任意に解錠可能にする制御手段を備えた
ことを特徴とする請求項７記載のクリーニングボックス。
【請求項９】
前記仕上品収納部内の上下方向複数箇所に仕上品を複数ずつ保持可能な仕上品保持部材を設けた
ことを特徴とする請求項１乃至８の何れか１項記載のクリーニングボックス。
【請求項１０】
前記仕上品収納部の前面に仕上品収納部内を外部から透視可能な透視部を設けた
ことを特徴とする請求項１乃至９の何れか１項記載のクリーニングボックス。
【請求項１１】
前記仕上品収納部の上面に外部の光を仕上品収納部内に透過する光透過部を設けたことを特徴とする請求項１乃至１０の何れか１項記載のクリーニングボックス。
【請求項１２】
前記光透過部を仕上品側ユニットを形成する外面板及び内面板にそれぞれ設けた開口部の間に透明または半透明の光透過板を配置することによって形成するとともに、
内面板の開口部の周縁部には外面板側に配置した光透過板の周縁部に上端を当接するフランジ部を設けた
ことを特徴とする請求項１１記載のクリーニングボックス。
【請求項１３】
前記洗濯物収納部及び仕上品収納部の少なくとも一方に換気手段を設けた
ことを特徴とする請求項１乃至１２の何れか１項記載のクリーニングボックス。
【請求項１４】
前記換気手段を洗濯物側ユニットまたは仕上品側ユニットを形成する外面板及び内面板にそれぞれ設けた複数の通気孔によって形成するとともに、
外面板の通気孔と内面板の通気孔とを互いに所定方向にずらして配置した
ことを特徴とする請求項１３記載のクリーニングボックス。
【請求項１５】
前記洗濯物側ユニットまたは仕上品側ユニットの前面側に任意の広告を表示可能な広告表示部を設けた
ことを特徴とする請求項１乃至１４の何れか１項記載のクリーニングボックス。
【請求項１６】
前記広告表示部を、洗濯物側ユニットまたは仕上品側ユニットの前面側に設けた開口部と、開口部を覆う透明部材と、開口部の背面側に任意の広告部材を着脱自在に保持する保持部材とから構成した
ことを特徴とする請求項１５記載のクリーニングボックス。
【請求項１７】
前記広告表示部の内面を広告表示部の周囲の色と同色に形成した
ことを特徴とする請求項１６記載のクリーニングボックス。
【請求項１８】
前記洗濯物側ユニットまたは仕上品側ユニットの前面に任意の物品を出し入れ自在に収納する物品収納部を設けた
ことを特徴とする請求項１乃至１７の何れか１項記載のクリーニングボックス。
【請求項１９】
前記物品収納部を、洗濯物側ユニットまたは仕上品側ユニットの前面側に設けた開口部と、開口部の一部を覆う透明部材と、開口部の背面側に物品の収納空間を形成する収納部材とから構成した
ことを特徴とする請求項１８記載のクリーニングボックス。
【請求項２０】
前記物品収納部の内面を物品収納部の周囲の色と同色に形成した
ことを特徴とする請求項１９記載のクリーニングボックス。
【請求項２１】
前記物品収納部内の底面に収納物品よりも小さい物体を外部に排出可能な少なくとも一つの孔を設けた
ことを特徴とする請求項１８乃至２０の何れか１項記載のクリーニングボックス。
【発明の詳細な説明】
【０００１】
【発明の属する技術分野】
本発明は、例えばコンビニエンスストアにおけるクリーニングサービスに用いられるクリーニングボックスに関するものである。
【０００２】
【従来の技術】
一般に、洗濯物の引受け及び仕上品の引渡しを人手によって行うクリーニング店を利用する場合には、クリーニング店の営業時間内に来店しなければならないが、利用者の都合上、所定の営業時間内に来店することができず、クリーニング店の利用に不便を来すという問題があった。
【０００３】
そこで、前記問題を解消するために、利用者が任意に洗濯物を投入可能な洗濯物受付機と、洗濯済みの仕上品を収納する複数のロッカーとを備えた無人店舗装置が提案されている（例えば、特許文献１参照。）。
【０００４】
この無人店舗装置では、利用者が無人店舗の洗濯物受付機に洗濯物を投入すると、洗濯業者等が洗濯物を回収してクリーニング工場で洗濯した後、洗濯済みの仕上品は無人店舗のロッカーに収納され、利用者は仕上品をロッカーから任意に受け取れるようになっている。従って、洗濯物の引受け及び仕上品の引渡しを人手によって行う必要がないため、夜間営業や２４時間営業が可能となり、利用者の利便性が向上する。
【０００５】
【特許文献１】
特開平７−６５２３１号公報
【０００６】
【発明が解決しようとする課題】
ところで、前記無人店舗装置では、洗濯物受付機の近傍に所定数の仕上品収納部を備えたロッカーを設置しているが、利用者数の増加や引き取りの延滞等によりロッカーの収納部が不足したり、或いは利用者数の減少等によりロッカーの収納部数が過剰になる場合がある。このような場合でもロッカーの収納部数は固定されているため、利用状況に応じてロッカーの規模を増減することはできず、仕上品の収納効率の適正化を図ることができないという問題点があった。
【０００７】
本発明は前記問題点に鑑みてなされたものであり、その目的とするところは、利用状況に応じて仕上品収納効率の適正化を図ることのできるクリーニングボックスを提供することにある。
【０００８】
【課題を解決するための手段】
本発明は前記目的を達成するために、請求項１では、利用者の洗濯物を収納する洗濯物収納部と、洗濯済みの仕上品を収納する仕上品収納部とを備えたクリーニングボックスにおいて、前記洗濯物収納部を有する洗濯物側ユニットと、前記仕上品収納部を有する仕上品側ユニットとを備え、洗濯物側ユニットの側方に複数の仕上品側ユニットを並設可能に構成し、洗濯物側ユニットにおける洗濯物収納部の前面上部には洗濯物投入口及びその扉を設けるとともに、洗濯物収納部の前面下部には洗濯物取出口及びその扉を設け、仕上品側ユニットにおける仕上品収納部の前面には仕上品受取口及びその扉を設けている。これにより、仕上品側ユニットを必要に応じて増減することが可能となる。
【０００９】
また、請求項２では、請求項１記載のクリーニングボックスにおいて、前記洗濯物側ユニット及び仕上品側ユニットを互いに同等の高さ寸法に形成している。これにより、請求項１の作用に加え、各ユニットの外観上の一体感によって見栄えが向上する。
【００１０】
また、請求項３では、請求項１または２記載のクリーニングボックスにおいて、前記洗濯物収納部内に洗濯物投入口の下端から後方に延びる仕切部を設け、仕切部の後端と洗濯物収納部内の背面との間には洗濯物を通過可能な隙間を形成している。これにより、請求項１または２の作用に加え、洗濯物収納部内に収納されている洗濯物は、仕切部に妨げられて洗濯物投入口から取出されることはない。
【００１１】
また、請求項４では、前記仕切部を前方に向かって下り傾斜をなすように形成している。これにより、請求項３の作用に加え、洗濯物を投入する際、仕切部の後方まで洗濯物を押し込まないと、洗濯物が仕切部の傾斜により前方に滑動して洗濯物投入口まで戻されることから、洗濯物が仕切部上に不用意に残置されることがない。
【００１２】
また、請求項５では、請求項４記載のクリーニングボックスにおいて、前記仕切部の後端側に後方に向かって下り傾斜をなす傾斜部を設けている。これにより、請求項４の作用に加え、洗濯物を仕切部の傾斜部まで押し込めば、洗濯物が傾斜部に案内されて仕切部の下方に落下することから、傾斜部を設けることによって仕切部の上面の前方傾斜部分の奥行き寸法が短くなる。
【００１３】
また、請求項６では、請求項１乃至５の何れか１項記載のクリーニングボックスにおいて、前記洗濯物収納部内の底面に緩衝部材を設けている。これにより、請求項１乃至５の何れか１項の作用に加え、洗濯物収納部の底面に設けた緩衝部材により、洗濯物収納部内に投入された洗濯物の落下衝撃が吸収される。
【００１４】
また、請求項７では、請求項１乃至６の何れか１項記載のクリーニングボックスにおいて、前記洗濯物投入口の扉、洗濯物取出口の扉及び仕上品受取口の扉にそれぞれ施錠手段を設けている。これにより、請求項１乃至６の何れか１項の作用に加え、例えば利用者や関係者以外の者によって各扉の何れかが不正に開けられることがない。
【００１５】
また、請求項８では、請求項７記載のクリーニングボックスにおいて、前記洗濯物投入口の扉及び仕上品受取口の扉の施錠手段を利用者の所定の操作によって任意に解錠可能にする制御手段を備えている。これにより、請求項７の作用に加え、利用者のみによって扉を開放させることが可能となる。
【００１６】
また、請求項９では、請求項１乃至８の何れか１項記載のクリーニングボックスにおいて、前記仕上品収納部内の上下方向複数箇所に仕上品を複数ずつ保持可能な仕上品保持部材を設けている。これにより、請求項１乃至８の何れか１項の作用に加え、多数の仕上品が仕上品収納部内に効率よく収納される。
【００１７】
また、請求項１０では、請求項１乃至９の何れか１項記載のクリーニングボックスにおいて、前記仕上品収納部の前面に仕上品収納部内を外部から透視可能な透視部を設けている。これにより、請求項１乃至９の何れか１項の作用に加え、透視窓から仕上品収納部内を透視することにより、仕上品収納部内の仕上品の有無を扉を開放することなく確認することが可能となる。
【００１８】
また、請求項１１では、請求項１乃至１０の何れか１項記載のクリーニングボックスにおいて、前記仕上品収納部の上面に外部の光を仕上品収納部内に透過する光透過部を設けている。これにより、請求項１乃至１０の何れか１項の作用に加え、光透過部から導入される光によって仕上品収納部内を明るくすることが可能となる。
【００１９】
また、請求項１２では、請求項１１記載のクリーニングボックスにおいて、前記光透過部を仕上品側ユニットを形成する外面板及び内面板にそれぞれ設けた開口部の間に透明または半透明の光透過板を配置することによって形成するとともに、内面板の開口部の周縁部には外面板側に配置した光透過板の周縁部に上端を当接するフランジ部を設けている。これにより、請求項１１の作用に加え、内面板のフランジ部の上端を光透過板の周縁部に当接させることにより、光透過板が外面板と内面板との間に固定されることから、外面板及び内面板による二重構造においても光透過板を簡単な構造により確実に固定することが可能となる。
【００２０】
また、請求項１３では、請求項１乃至１２の何れか１項記載のクリーニングボックスにおいて、前記洗濯物収納部及び仕上品収納部の少なくとも一方に換気手段を設けている。これにより、請求項１乃至１２の何れか１項の作用に加え、洗濯物収納部内の洗濯物や仕上品収納部内の仕上品の臭いや水分が換気によって除去される。
【００２１】
また、請求項１４では、請求項１３記載のクリーニングボックスにおいて、前記換気手段を洗濯物側ユニットまたは仕上品側ユニットを形成する外面板及び内面板にそれぞれ設けた複数の通気孔によって形成するとともに、外面板の通気孔と内面板の通気孔とを互いに所定方向にずらして配置している。これにより、請求項１３の作用に加え、内外の各通気孔が互いに直通することがない。
【００２２】
また、請求項１５では、請求項１乃至１４の何れか１項記載のクリーニングボックスにおいて、前記洗濯物側ユニットまたは仕上品側ユニットの前面側に任意の広告を表示可能な広告表示部を設けている。これにより、請求項１乃至１４の何れか１項の作用に加え、専用の広告表示部によって広告が表示されることから、例えば宣伝用ポスターを前面に直接貼り付けた場合のように、雑然としたポスターの表示状態やポスターの破損等による美観の低下を生ずることがない。
【００２３】
また、請求項１６では、請求項１５記載のクリーニングボックスにおいて、前記広告表示部を、洗濯物側ユニットまたは仕上品側ユニットの前面側に設けた開口部と、開口部を覆う透明部材と、開口部の背面側に任意の広告部材を着脱自在に保持する保持部材とから構成している。これにより、請求項１５の作用に加え、開口部の背面側に任意の広告部材が着脱自在に保持されることから、広告部材の入れ替え作業が容易に行われる。
【００２４】
また、請求項１７では、請求項１６記載のクリーニングボックスにおいて、前記広告表示部の内面を広告表示部の周囲の色と同色に形成している。これにより、請求項１６の作用に加え、広告表示部内に広告部材が収容されていない場合には、周囲との色彩的な一体感により広告表示部を目立たせることがない。
【００２５】
また、請求項１８では、請求項１乃至１７の何れか１項記載のクリーニングボックスにおいて、前記洗濯物側ユニットまたは仕上品側ユニットの前面に任意の物品を出し入れ自在に収納する物品収納部を設けている。これにより、請求項１乃至１７の何れか１項の作用に加え、例えばクリーニングサービスの会員登録の申込書やパンフレット等の関係書類を物品収納部に収納しておくことにより、このような関係書類を洗濯物側ユニットまたは仕上品側ユニットから直接入手することが可能となる。
【００２６】
また、請求項１９では、請求項１８記載のクリーニングボックスにおいて、前記物品収納部を、洗濯物側ユニットまたは仕上品側ユニットの前面側に設けた開口部と、開口部の一部を覆う透明部材と、開口部の背面側に物品の収納空間を形成する収納部材とから構成している。これにより、請求項１８の作用に加え、物品収納部内の物品を開口部の透明部材を介して外部から視認することが可能となる。
【００２７】
また、請求項２０では、請求項１９記載のクリーニングボックスにおいて、前記物品収納部の内面を物品収納部の周囲の色と同色に形成している。これにより、請求項１９の作用に加え、物品収納部内に物品が収納されていない場合には、周囲との色彩的な一体感により物品収納部を目立たせることがない。
【００２８】
また、請求項２１では、請求項１８乃至２０の何れか１項記載のクリーニングボックスにおいて、前記物品収納部内の底面に収納物品よりも小さい物体を外部に排出可能な少なくとも一つの孔を設けている。これにより、請求項１８乃至２０の何れか１項の作用に加え、例えば物品収納部内に侵入したゴミや塵埃等が物品収納部の底面の孔から容易に排出される。
【００２９】
【発明の実施の形態】
図１乃至図１６は本発明の一実施形態を示すもので、図１はクリーニングボックスの正面図、図２はその前面側斜視図、図３はその背面側斜視図、図４は洗濯物収納部の側面断面図、図５は仕上品収納部の側面断面図、図６は光透過部を示す要部側面断面図、図７はその要部分解側面断面図、図８はその要部分解斜視図、図９は通気孔を示す背面部の平面断面図、図１０は広告表示部の分解斜視図、図１１は保持板の装着動作を示す概略側面図、図１２は物品収納部の分解斜視図、図１３はその底面側を示す側面断面図、図１４は制御系を示すブロック図、図１５及び図１６は洗濯物側ユニット及び仕上品側ユニットの他の配置例を示す正面図である。
【００３０】
このクリーニングボックスは、コンビニエンスストアの店舗内等に設置可能に形成された洗濯物側ユニット１０及び仕上品側ユニット１１を備え、洗濯物側ユニット１０は利用者の洗濯物Ａを収納する洗濯物収納部２０を有し、仕上品側ユニット１１は洗濯済みの仕上品Ｂを収納する仕上品収納部３０を有している。この場合、各ユニット１０，１１は互いに別体に構成されるとともに、互いに同等の高さ寸法及び奥行き寸法に形成されている。また、各ユニット１０，１１は、それぞれ互いに間隔を有する金属製の外面板１０ａ，１１ａ及び内面板１０ｂ，１１ｂを箱状に形成してなり、その下面には複数のキャスタ１２が取付けられている。
【００３１】
洗濯物収納部２０の前面上部には洗濯物投入口２０ａが設けられ、洗濯物投入口２０ａは扉２１によって開閉するようになっている。扉２１の幅方向一端側は洗濯物側ユニット１０に回動自在に支持され、その幅方向他端側には取手２１ａが設けられている。扉２１には電磁ロック式の錠前からなる第１の施錠機構２２が設けられ、第１の施錠機構２２は後述する制御部によって施錠及び解錠動作を制御されるとともに、専用の鍵によって手動でも解錠可能に構成されている。
【００３２】
洗濯物収納部２０の前面下部には洗濯物取出口２０ｂが設けられ、洗濯物取出口２０ｂは洗濯物投入口２０ａよりも上下方向の寸法を大きく形成されている。洗濯物取出口２０ｂは扉２３によって開閉するようになっており、扉２３は幅方向一端側を洗濯物側ユニット１０に回動自在に支持されている。扉２１には錠前２４が設けられ、錠前２４は専用の鍵によって手動で解錠されるようになっている。
【００３３】
洗濯物投入口２０ａと洗濯物取出口２０ｂとの間には操作パネル２５が設けられ、操作パネル２５には、所定の情報を記録したカードを読み取るカードリーダ２５ａと、洗濯物Ａの投入時に操作する投入スイッチ２５ｂと、仕上品Ｂの受取時に操作する受取スイッチ２５ｃと、投入スイッチ２５ｂまたは受取スイッチ２５ｃの操作を取消す取消スイッチ２５ｄがそれぞれ設けられている。また、操作パネル２５の背面側には電装品収納箱２５ｅが設けられている。
【００３４】
洗濯物収納部２０内には洗濯物投入口２０ａの下端から後方に延びる仕切部２６が設けられ、仕切部２６の後端と洗濯物収納部２０内の背面との間には洗濯物Ａを通過可能な隙間が形成されている。この仕切部２６は電装品収納箱２５ｅを上方、後方及び下方から囲むように設けられ、その上面は前方に向かって下り傾斜をなすように形成されている。仕切部２６の後端側には後方に向かって下り傾斜をなす傾斜部２６ａが設けられ、傾斜部２６ａは仕切部２６の上面の傾斜面に連続するように形成されている。また、洗濯物収納部２０の底面はクッション性のシート材からなる緩衝部材２７によって覆われている。
【００３５】
仕上品収納部３０の前面には仕上品受取口３０ａが設けられ、仕上品受取口３０ａは扉３１によって開閉するようになっている。扉３１の幅方向一端側は仕上品側ユニット１１に回動自在に支持され、その幅方向他端側には取手３１ａが設けられている。扉３１には仕上品収納部３０内を外部から透視可能な透視窓３１ｂが設けられ、透視窓３１ｂは透明板３１ｃによって覆われている。また、扉３１には電磁ロック式の錠前からなる第２の施錠機構３２が設けられ、第２の施錠機構３２は後述する制御部によって施錠及び解錠動作を制御されるとともに、専用の鍵によって手動でも解錠可能に構成されている。
【００３６】
仕上品収納部３０内の上下方向複数箇所には複数の仕上品Ｂを吊り下げ可能な仕上品保持部材３３が取付けられており、各仕上品保持部材３３は両端を仕上品収納部３０内の両側面に固定された幅方向に延びるパイプ状部材からなる。
【００３７】
仕上品収納部３０の上面には外部の光を仕上品収納部３０内に透過する光透過部３４が設けられ、光透過部３４は仕上品側ユニット１１の外面板１１ａ及び内面板１１ｂにそれぞれ設けた四角形状の開口部３４ａ，３４ｂを透明または半透明の光透過板３４ｃで覆うことにより形成されている。この場合、内面板１１ｂ側の開口部３４ｂの周囲には、開口部３４ｂの周縁部をそれぞれ上方に曲げ起こしてなるフランジ部３４ｄが設けられ、図６及び図７に示すように外面板１１ａ側に配置された光透過板３４ｃの周縁部に各フランジ部３４ｄの上端を下方から当接させることにより、光透過板３４ｃが外面板１１ａと内面板１１ｂとの間に固定されるようになっている。
【００３８】
仕上品収納部３０の背面には換気手段としての多数の通気孔３５が設けられ、各通気孔３５は仕上品側ユニット１１の外面板１１ａ及び内面板１１ｂにそれぞれ設けられている。この場合、外面板１１ａ側の各通気孔３５と内面板１１ｂ側の各通気孔３５は、図９に示すように互いに幅方向にずれるように配置されている。
【００３９】
また、洗濯物側ユニット１０の前面には、任意の広告部材Ｃを表示可能な広告表示部４０と、任意の物品Ｄを出し入れ自在に収納する物品収納部５０が設けられ、広告表示部４０及び物品収納部５０は洗濯物取出口２０ｂの扉２３の上部及び下部にそれぞれ配置されている。
【００４０】
広告表示部４０は、扉２３に設けられた開口部４１と、透明窓４１の背面側に設けられた保持部材としての保持枠４２及び保持板４３とから構成され、保持枠４２と保持板４３との間に宣伝広告用ポスター等の広告部材Ｃを保持するようになっている。開口部４１は透明板４１ａによって扉２３の背面側から覆われており、透明板４１ａの幅方向両端部は上下方向に延びる一対の固定部材４４によって扉２３の背面側に固定されている。保持枠４２は開口部４１の周縁に対応するように形成され、その幅方向両端部に設けた取付片４２ａを各固定部材４４に固定することにより扉２３の背面側に取付けられている。また、保持枠４２の上端及び下端には保持板４３を係合する孔４２ｂ，４２ｃがそれぞれ幅方向二箇所ずつに設けられている。保持板４３は保持枠４２内に収容可能な大きさに形成され、その上端中央には指先で把持可能な把持部４３ａが設けられている。また、保持板４３の上端及び下端には保持枠４２の各孔４２ｂ，４２ｃに挿入可能な突片４３ｂ，４３ｃがそれぞれ幅方向二箇所ずつに設けられており、上端側の突片４３ｂは下端側の突片４３ｃよりも上下方向に長く形成されている。
【００４１】
即ち、図１１（ａ）  に示すように保持板４３の上端側の各突片４３ｂを保持枠４２の上端側の各孔４２ｂに挿入し、保持板４３を保持枠４２の上端に当接するまで上方に移動させると、図１１（ｂ）  に示すように保持板４３の下端側の各突片４３ｃが保持枠４２の下端側の各孔４２ｃよりも上方に位置するようになっており、図１１（ｃ）  に示すように保持板４３を下方に移動して下端側の各突片４３ｃを保持枠４２の下端側の各孔４２ｃに挿入することにより、保持板４３が保持枠４２に装着されるようになっている。この場合、保持板４３を保持枠４２の下端に当接するまで下方に移動しても、保持板４３の上端側の各突片４３ｂは保持枠４２の上端側の各孔４２ｂから抜け出さない長さになっているため、保持板４３及び保持枠４２の上下端の係合状態がそれぞれ保持されるようになっている。
【００４２】
また、保持枠４２及び保持板４３には扉２３の前面と同色の塗装が施され、広告表示部４０の内面がその周囲の色と同色になるように形成されている。
【００４３】
物品収納部５０は、扉２３に設けた開口部５１と、開口部５１の背面側に箱状の収納空間を形成する収納部材としての一対の側面部材５２及び背面板５３とから構成され、例えばクリーニングサービスの会員登録の申込書やパンフレット等の関係書類等の物品Ｄを収納するようになっている。開口部５１の一部は透明板５１ａによって扉２３の背面側から覆われており、透明板５１ａの幅方向両端部は各側面部材５２によって固定されている。即ち、開口部５１の上部は物品の出し入れ口５１ｂとして開放されている。各側面部材５２は上下方向に延びる断面略コ字状の部材によって形成され、扉２３の背面と背面板５３との間に物品Ｄを収納可能な間隔を保持するようになっている。背面板５３は開口部５１よりも大きく形成され、その幅方向両端部を各側面部材５２に固定されている。背面板５３の上端及び下端にはそれぞれ前方に向かって延びる上面部５３ａ及び底面部５３ｂが設けられ、底面部５３ｂにはゴミや塵埃等のような収納物品Ｄよりも小さい物体Ｅを外部に排出可能な複数の孔５３ｃが設けられている。この場合、各孔５３ｃは互いに幅方向に等間隔で配置された円形の小孔からなる。
【００４４】
また、各側面部材５２及び背面板５３には扉２３の前面と同色の塗装が施され、物品収納部５０の内面がその周囲の色と同色になるように形成されている。
【００４５】
第１及び第２の施錠機構２２，３２はマイクロコンピュータ構成の制御部６０に接続され、制御部６０には操作パネル２５のカードリーダ２５ａ、投入スイッチ２５ｂ、受取スイッチ２５ｃ及び取消スイッチ２５ｄが接続されている。尚、各施錠機構２２，３２は、通常は施錠状態になっている。
【００４６】
以上のように構成されたクリーニングボックスは、例えばコンビニエンスストアの店舗内に設置され、コンビニエンスストアのクリーニングサービスに用いられる。このクリーニングサービスは会員制になっており、利用者はコンビニエンスストア等で会員登録の手続をすることにより、クリーニングサービスの固有情報や利用者の識別情報等を記憶した会員カードが利用者に配布される。
【００４７】
前記クリーニングボックスを利用する場合には、コンビニエンスストアに来店した利用者が操作パネル２５のカードリーダ２５ａに適正な会員カードを挿入すると、操作パネル２５の各スイッチ２５ｂ，２５ｃ，２５ｄが操作可能となる。ここで、洗濯物Ａを預ける場合には、投入スイッチ２５ｂを操作すると、制御部６０によって第１の施錠機構２２が解錠され、洗濯物投入口２０ａの扉２１を開放して洗濯物投入口２０ａに洗濯物Ａを投入することにより、洗濯物Ａが洗濯物収納部２０に収納される。この場合、利用者は洗濯物Ａを専用の収納袋に収納するとともに、所定の伝票を添付してクリーニングボックスに投入する。
【００４８】
洗濯物収納部２０に収納された洗濯物Ａは、所定の洗濯業者によって定期的に回収される。その際、洗濯業者の鍵により洗濯物取出口２０ｂの扉２３の錠前２４が手動で解錠され、洗濯物収納部２０内の洗濯物Ａが洗濯物取出口２０ｂから取出される。この後、所定の仕上日になると、洗濯業者によって洗濯された仕上品Ｂが仕上品収納部３０内に収納される。その際、仕上品受取口３０ａの扉３１は、洗濯業者の鍵によって第２の施錠機構３２を手動で解錠することにより開放される。
【００４９】
そして、仕上品Ｂの受け取りに来店した利用者がカードリーダ２５ａに適正な会員カードを挿入すると、前述と同様、操作パネル２５の各スイッチ２５ｂ，２５ｃ，２５ｄが操作可能となる。ここで、受取スイッチ２５ｃを操作すると、制御部６０によって第２の施錠機構３２が解錠され、仕上品受取口３０ａの扉３１を開放して仕上品収納部３０内の仕上品Ｂを取出すことにより、仕上品Ｂを受取ることができる。
【００５０】
本実施形態のクリーニングボックスでは、洗濯物収納部２０を有する洗濯物側ユニット１０と、仕上品収納部３０を有する仕上品側ユニット１１とを互いに別体に形成することにより、図１５に示すように洗濯物側ユニット１０の側方に複数の仕上品側ユニット１１を並設可能に構成している。これにより、仕上品側ユニット１１を必要応じて増減することができるので、例えば利用者数の増加や引き取りの延滞等により仕上品収納部３０が不足した場合には、仕上品側ユニット１１を増設することにより、利用状況に応じて仕上品収納効率の適正化を図ることができ、例えばコンビニエンスストアを利用したクリーニングサービスの普及に極めて有利である。この場合、新たな仕上品側ユニット１１のみを追加すれよいので、増設コストが安価であるという利点もある。
【００５１】
また、洗濯物側ユニット１０及び仕上品側ユニット１１を互いに同等の高さ寸法に形成したので、各ユニット１０，１１の外観上の一体感によって見栄えの向上を図ることができ、利用者の利用意欲を高めることができる。
【００５２】
更に、図１６に示すように洗濯物側ユニット１０と仕上品側ユニット１１とを互いに分離することができるので、例えば洗濯物側ユニット１０のみを店内に設置する場合など、多様な使用形態に対応することができる。
【００５３】
また、洗濯物収納部２０内には洗濯物投入口２０ａの下端から後方に延びる仕切部２６が設けられているので、洗濯物収納部２０内に既に収納されている洗濯物Ａは仕切部２６に妨げられて洗濯物投入口２０ａから取出すことはできない。従って、洗濯物投入口２０ａを開放して洗濯物収納部２０内の洗濯物Ａを不正に取出すなどの行為を確実に防止することができる。また、洗濯物収納部２０内に洗濯物Ａを投入する際は、仕切部２６の後端と洗濯物収納部２０内の背面との間に形成した隙間から洗濯物Ａを落下させるようになっている。この場合、仕切部２６の上面は前方に向かって下り傾斜をなすように形成されているので、仕切部２６の後方まで洗濯物Ａを押し込まないと、洗濯物Ａが仕切部２６上を前方に滑動して洗濯物投入口２０ａまで戻される。従って、洗濯物Ａが仕切部２６上に不用意に残置されることがなく、洗濯物Ａを常に仕切部２６の下方へ確実に投入させることができる。また、仕切部２６の後端側には後方に向かって下り傾斜をなす傾斜部２６ａが設けられているので、洗濯物Ａを仕切部２６の傾斜部２６ａまで押し込めば、洗濯物Ａが傾斜部２６ａに案内されて仕切部２６の下方に落下することから、傾斜部２６ａを設けることによって仕切部２６の上面の前方傾斜部分の奥行き寸法を短くすることができ、洗濯物Ａを洗濯物投入口２０ａの奥深くまで押し込まなくとも容易に投入することができる。また、洗濯物収納部２０の底面は緩衝部材２７によって覆われているので、洗濯物収納部２０内に投入された洗濯物Ａの落下衝撃を吸収することができ、洗濯物Ａの損傷を防止することができる。
【００５４】
更に、各扉２１，２３，３１をそれぞれ施錠するようにしたので、利用者や関係者以外の者によって扉２１，２３，３１が不正に開けられることがなく、洗濯物Ａ及び仕上品Ｂを的確に保護することができる。その場合、洗濯物投入口２０ａの扉２１及び仕上品受取口３０ａの扉３１をそれぞれ施錠する第１及び第２の施錠機構２２，３２を利用者の適正な会員カードをカードリーダ２５ａで読み取ることによって解錠可能にするようにしたので、利用者のみによって扉２１，３１を開放させることができ、クリーニングサービスの無人化に有利である。尚、コンビニエンスストア等の有人店舗に設置する場合には、各施錠機構２２，３２の解錠操作を店員が所定の場所から遠隔操作するようにしてもよい。
【００５５】
また、仕上品収納部３０内の上下方向複数箇所には複数の仕上品Ｂを吊り下げ可能な複数の仕上品保持部材３３が設けられているので、仕上品収納部３０内の仕上品Ｂを上下方向複数箇所に複数ずつ保持することができ、多数の仕上品Ｂを仕上品収納部３０内に効率よく収納することができる。従って、混雑時でも仕上品Ｂの収納に的確に対応することができる。また、仕上品受取口３０ａの扉３１には仕上品収納部３０内を外部から透視可能な透視窓３１ｂが設けられているので、仕上品収納部３０内の仕上品Ｂの有無を扉３１を開放することなく確認することができる。従って、利用者の仕上品Ｂが収納されていない場合に扉３１が無用に開放操作されることがなく、利用者に対するサービス性を向上させることができる。また、仕上品収納部３０の上面には外部の光を仕上品収納部３０内に透過する光透過部３４が設けられているので、光透過部３４から導入される光によって仕上品収納部３０内を明るくすることができる。従って、仕上品収納部３０内に照明灯を別途設ける必要がなく、製造コスト及び消費電力の低減を図ることができる。この場合、光透過部３４は、仕上品側ユニット１１を形成する外面板１１ａ及び内面板１１ｂにそれぞれ設けた開口部３４ａ，３４ｂの間に透明または半透明の光透過板３４ｃを配置することによって形成されるとともに、内面板１１ｂの開口部３４ｂの周縁部に設けたフランジ部３４ｄの上端を外面板１１ａ側に配置した光透過板３４ｃの周縁部に当接させることにより、光透過板３４ｃを外面板１１ａと内面板１１ｂとの間に固定するようにしたので、外面板１１ａ及び内面板１１ｂによる二重構造においても光透過板３４ｃを簡単な構造により確実に固定することができ、製造上極めて有利である。
【００５６】
更に、仕上品収納部３０の背面に設けた多数の通気孔３５によって仕上品収納部３０内を換気するようにしたので、仕上品Ｂの薬品臭や水分を換気によって除去することができ、利用者に不快感を与えないという利点がある。この場合、各通気孔３５は仕上品側ユニット１１の外面板１１ａ及び内面板１１ｂにそれぞれ設けられるとともに、外面板１１ａ側の各通気孔３５と内面板１１ｂ側の各通気孔３５を互いに幅方向にずらして配置したので、内外の各通気孔３５が互いに前後方向に直通することがなく、仕上品収納部３０内への異物の侵入を確実に阻止することができる。尚、各通気孔３５の位置は仕上品収納部３０の側面や上面であってもよく、換気用のファンを設けるようにしてもよい。また、このような通気手段を洗濯物収納部２０側に設けてもよく、この場合は洗濯物収納部２０内の洗濯物Ａの臭気や水分を他の洗濯物Ａに付着させずに除去することができるという利点がある。
【００５７】
また、洗濯物側ユニット１０の前面には、任意の広告部材Ｃを表示可能な広告表示部４０が設けられているので、例えば宣伝用ポスターを前面に直接貼り付けた場合のように、雑然としたポスターの表示状態やポスターの破損等による美観の低下を生ずることがなく、クリーニングサービスの宣伝広告等を常に見栄えよく表示することができる。この場合、広告表示部４０は、扉２３に設けた開口部４１の背面側に任意の広告部材Ｃを着脱自在に保持するように構成されているので、広告部材Ｃの入れ替え作業を極めて容易に行うことができ、広告部材Ｃの変更を常に迅速に行うことができる。また、広告表示部４０の内面は扉２３の前面と同色に形成されているので、広告表示部４０内に広告部材Ｃが収容されていない場合には、扉２３との色彩的な一体感により広告表示部４０を目立たせることがなく、広告表示をしていない場合でも美観を損なうことがないという利点がある。
【００５８】
更に、洗濯物側ユニット１０の前面には、任意の物品Ｄを出し入れ自在に収納する物品収納部５０が設けられているので、例えばクリーニングサービスの会員登録の申込書やパンフレット等の関係書類を物品収納部５０に収納しておくことにより、このような関係書類を洗濯物側ユニット１０から直接入手することができる。従って、クリーニングサービスの関係書類を店員に申し入れて入手したり、或いは他の場所へ取りに行くといった煩わしさを生ずることがなく、利用者の増加を効果的に促すことができる。この場合、物品収納部５０は、扉２３に設けた開口部５１の背面側に物品Ｄの収納空間を形成するとともに、開口部５１の一部を透明板５１ａによって覆うように構成されているので、物品収納部５０内の物品Ｄを透明板５１ａを介して外部から視認することができ、収納物品Ｄを目立たせることができる。また、物品収納部５０の内面は広告表示部４０と同様、扉２３の前面と同色に形成されているので、物品収納部５０内に物品Ｄが収納されていない場合には、扉２３との色彩的な一体感により物品収納部５０の内部を目立たせることがなく、収納物品Ｄが収納されていない場合でも美観を損なうことがないという利点がある。更に、物品収納部５０の底面部５３ｂには収納物品Ｄよりも小さい物体Ｅを外部に排出可能な複数の孔５３ｃが設けられているので、物品収納部５０内に侵入したゴミや塵埃等を各孔５３ｃから容易に排出することができ、物品収納部５０内の汚れを確実に防止することができる。
【００５９】
尚、前記実施形態では、各ユニット１０，１１を互いに並設して設置するようにしたものを示したが、各ユニット１０，１１同士を着脱自在に結合可能な連結構造を備えたものであれば、各ユニット１０，１１を構造的にも一体化することができる。
【００６０】
また、前記実施形態では、広告表示部４０及び物品収納部５０を洗濯物側ユニット１０に設けたものを示したが、これらを仕上品側ユニット１１に設けることも可能である。
【００６１】
【発明の効果】
以上説明したように、請求項１のクリーニングボックスによれば、仕上品側ユニットを必要応じて増減することができるので、例えば利用者数の増加や引き取りの延滞等により仕上品収納部が不足した場合には、仕上品側ユニットを増設することにより、利用状況に応じて仕上品収納効率の適正化を図ることができ、例えばコンビニエンスストアを利用したクリーニングサービスの普及に極めて有利である。この場合、新たな仕上品側ユニットのみを追加すれよいので、増設コストが安価であるという利点もある。更に、洗濯物側ユニットと仕上品側ユニットとを互いに分離することができるので、例えば洗濯物側ユニットのみを店内に設置する場合など、多様な使用形態に対応することもできる。
【００６２】
また、請求項２のクリーニングボックスによれば、請求項１の効果に加え、各ユニットの外観上の一体感によって見栄えの向上を図ることができるので、利用者の利用意欲を高めることができ、クリーニングサービスの利用促進に効果的である。
【００６３】
また、請求項３のクリーニングボックスによれば、請求項１または２の効果に加え、洗濯物収納部内に収納されている洗濯物が洗濯物投入口から取出されることがないので、洗濯物投入口を開放して洗濯物収納部内の洗濯物を不正に取出すなどの行為を確実に防止することができる。
【００６４】
また、請求項４のクリーニングボックスによれば、請求項３の効果に加え、洗濯物を投入する際、洗濯物が洗濯物投入口の仕切部上に不用意に残置されることがないので、洗濯物を常に仕切部の下方へ確実に投入させることができる。
【００６５】
また、請求項５のクリーニングボックスによれば、請求項４の効果に加え、仕切部の上面の前方傾斜部分の奥行き寸法を短くすることができるので、洗濯物を洗濯物投入口の奥深くまで押し込まなくとも容易に投入することができる。
【００６６】
また、請求項６のクリーニングボックスによれば、請求項１乃至５の何れか１項の効果に加え、洗濯物収納部内に投入された洗濯物の落下衝撃を吸収することができるので、洗濯物の損傷を防止することができる。
【００６７】
また、請求項７のクリーニングボックスによれば、請求項１乃至６の何れか１項の効果に加え、例えば利用者や関係者以外の者によって各扉の何れかが不正に開けられることがないので、洗濯物及び仕上品を的確に保護することができる。
【００６８】
また、請求項８のクリーニングボックスによれば、請求項７の効果に加え、利用者のみによって扉を開放させることができるので、無人化されたクリーニングサービス等の実現が可能となる。
【００６９】
また、請求項９のクリーニングボックスによれば、請求項１乃至８の何れか１項の効果に加え、多数の仕上品を仕上品収納部内に効率よく収納することができるので、混雑時でも仕上品の収納に的確に対応することができる。
【００７０】
また、請求項１０のクリーニングボックスによれば、請求項１乃至９の何れか１項の効果に加え、仕上品収納部内の仕上品の有無を扉を開放することなく確認することができるので、利用者の仕上品が収納されていない場合に扉が無用に開放操作されることがなく、利用者に対するサービス性を向上させることができる。
【００７１】
また、請求項１１のクリーニングボックスによれば、請求項１乃至１０の何れか１項の効果に加え、光透過部から導入される光によって仕上品収納部内を明るくすることができるので、仕上品収納部内に照明灯を別途設ける必要がなく、製造コスト及び消費電力の低減を図ることができる。
【００７２】
また、請求項１２のクリーニングボックスによれば、請求項１１の効果に加え、外面板及び内面板による二重構造においても光透過部の光透過板を簡単な構造により確実に固定することができるので、製造上極めて有利である。
【００７３】
また、請求項１３のクリーニングボックスによれば、請求項１乃至１２の何れか１項の効果に加え、洗濯物収納部内の洗濯物や仕上品収納部内の仕上品の臭いや水分を換気によって除去することができるので、利用者に不快感を与えないという利点がある。
【００７４】
また、請求項１４のクリーニングボックスによれば、請求項１３の効果に加え、外面板及び内面板の通気孔が互いに直通することがないので、洗濯物収納部または仕上品収納部内への異物の侵入を確実に阻止することができる。
【００７５】
また、請求項１５のクリーニングボックスによれば、請求項１乃至１４の何れか１項の効果に加え、例えば宣伝用ポスターを前面に直接貼り付けた場合のように、雑然としたポスターの表示状態やポスターの破損等による美観の低下を生ずることがないので、クリーニングサービスの宣伝広告等を常に見栄えよく表示することができる。
【００７６】
また、請求項１６のクリーニングボックスにおいて、請求項１５の効果に加え、広告部材の入れ替え作業を容易に行うことができるので、広告部材の変更を常に迅速に行うことができる。
【００７７】
また、請求項１７のクリーニングボックスによれば、請求項１６の効果に加え、広告表示部内に広告部材が収容されていない場合でも、周囲との色彩的な一体感により広告表示部を目立たせることがないので、美観を損なうことがないという利点がある。
【００７８】
また、請求項１８のクリーニングボックスによれば、請求項１乃至１７の何れか１項の効果に加え、例えばクリーニングサービスの会員登録の申込書やパンフレット等の関係書類を洗濯物側ユニットまたは仕上品側ユニットから直接入手することができるので、クリーニングサービスの関係書類を店員に申し入れて入手したり、或いは他の場所へ取りに行くといった煩わしさを生ずることがなく、利用者の増加を効果的に促すことができる。
【００７９】
また、請求項１９のクリーニングボックスによれば、請求項１８の効果に加え、物品収納部内の物品を外部から視認することができるので、収納物品を目立たせることができる。
【００８０】
また、請求項２０のクリーニングボックスによれば、請求項１９の効果に加え、物品収納部内に物品が収納されていない場合でも、周囲との色彩的な一体感により物品収納部を目立たせることがないので、美観を損なうことがないという利点がある。
【００８１】
また、請求項２１のクリーニングボックスによれば、請求項１８乃至２０の何れか１項の効果に加え、例えば物品収納部内に侵入したゴミや塵埃等を物品収納部から容易に排出することができるので、物品収納部内の汚れを確実に防止することができる。
【図面の簡単な説明】
【図１】本発明の一実施形態を示すクリーニングボックスの正面図
【図２】クリーニングボックスの前面側斜視図
【図３】クリーニングボックスの背面側斜視図
【図４】洗濯物収納部の側面断面図
【図５】仕上品収納部の側面断面図
【図６】光透過部を示す要部側面断面図
【図７】光透過部の要部分解側面断面図
【図８】光透過部の要部分解斜視図
【図９】通気孔を示す背面部の平面断面図
【図１０】広告表示部の分解斜視図
【図１１】保持板の装着動作を示す概略側面図
【図１２】物品収納部の分解斜視図
【図１３】物品収納部の底面側を示す側面断面図、
【図１４】制御系を示すブロック図
【図１５】洗濯物側ユニット及び仕上品側ユニットの他の配置例を示す正面図
【図１６】洗濯物側ユニット及び仕上品側ユニットの他の配置例を示す正面図
【符号の説明】
１０…洗濯物側ユニット、１１…仕上品側ユニット、１１ａ…外面板、１１ｂ…内面板、２０…洗濯物収納部、２０ａ…洗濯物投入口、２０ｂ…洗濯物取出口、２１…扉、２２…第１の施錠機構、２３…扉、２４…錠前、２５ａ…カードリーダ、２５ｂ…投入スイッチ、２５ｃ…受取スイッチ、２５ｄ…取消スイッチ、２６…仕切部、２６ａ…傾斜部、２７…緩衝部材、３０…仕上品収納部、３０ａ…仕上品受取口、３１…扉、３１ｂ…透視窓、３２…第２の施錠機構、３３…仕上品保持部材、３４…光透過部、３４ａ，３４ｂ…開口部、３４ｃ…光透過板、３４ｄ…フランジ部、３５…通気孔、４０…広告表示部、４１…開口部、４１ａ…透明板、４２…保持枠、４３…保持板、５０…物品収納部、５１…開口部、５１ａ…透明板、５２…側面部材、５３…背面板、６０…制御部。
【図１】
2004240685.tif 000003
【図２】
2004240685.tif 000004
【図３】
2004240685.tif 000005
【図４】
2004240685.tif 000006
【図５】
2004240685.tif 000007
【図６】
2004240685.tif 000008
【図７】
2004240685.tif 000009
【図８】
2004240685.tif 000010
【図９】
2004240685.tif 000011
【図１０】
2004240685.tif 000012
【図１１】
2004240685.tif 000013
【図１２】
2004240685.tif 000014
【図１３】
2004240685.tif 000015
【図１４】
2004240685.tif 000016
【図１５】
2004240685.tif 000017
【図１６】
2004240685.tif 000018